(57)【要約】【課題】吊りボルトを容易に固定し得る吊り金具を提供する。【解決手段】貫通孔１４を有する中央板部１２の両側からアーム板部１３が外向きに下方へ傾斜するように形成された係止板１１と、中央板部１２に対して貫通孔１４と同心状に固定されるガイド筒２０と、ガイド筒２０内に貫通孔１４と同心状に上下動可能に収納される分割ナット２１と、ガイド筒２０に固定され、分割ナット２１をガイド筒２０内で上下動可能に保持するリングキャップ３０とを備える。ガイド筒２０の下部の内周部に、下方に向かって径方向内向きのテーパ部２３を備え、分割ナット２１は、ガイド筒２０内をテーパ部２３に沿って、吊りボルト６０に係合する下方位置と吊りボルト６０から離れる上方位置との間で上下動可能となっている。【選択図】図１
2016109147.tif 000002
【特許請求の範囲】
【請求項１】
デッキプレート（７０）の上フランジ（７１）の両側で向かい合うウェブ（７２）の間で係止される係止板と、その係止板に設けられ、吊りボルト（６０）がねじ結合する雌ねじ孔とを備えた吊り金具において、
前記係止板（１１）は、前記吊りボルトが挿通する貫通孔（１４）を有する中央板部（１２）と、その中央板部（１２）の両側から外向きに下方へ傾斜するアーム板部（１３）とから形成され、
前記中央板部（１２）に対してその貫通孔（１４）と同心状に固定されるガイド筒（２０）と、そのガイド筒（２０）内に前記貫通孔（１４）と同心状に上下動可能に収納される分割ナット（２１）と、前記ガイド筒（２０）に固定され、前記分割ナット（２１）を前記ガイド筒（２０）内で上下動可能に保持するリングキャップ（３０）とを備え、
前記ガイド筒（２０）がその内周部に下方に向かって径方向内向きのテーパ部（２３）を備え、前記分割ナット（２１）により、前記ガイド筒（２０）内に前記雌ねじ孔が形成され、前記リングキャップ（３０）は前記吊りボルト（６０）が挿通可能であり、
前記分割ナット（２１）は、前記ガイド筒（２０）内をそのテーパ部（２３）に沿って、前記吊りボルト（６０）から離れる上方位置と前記吊りボルト（６０）に係合する下方位置との間で上下動可能とされたことを特徴とする吊り金具。
【請求項２】
前記リングキャップ（３０）が弾性変形可能な押圧片（３４）を有し、その押圧片（３４）が前記分割ナット（２１）を下方へ付勢することを特徴とする請求項１に記載の吊り金具。
【請求項３】
前記分割ナット（２１）が外周部の下部に下方に向かって径方向内向きにテーパ部（２１ｂ）を有し、前記分割ナット（２１）が前記ガイド筒（２０）内に収納される状態で、その分割ナット（２１）のテーパ部（２１ｂ）とガイド筒（２０）のテーパ部（２３）とが面接触するようにしたことを特徴とする請求項１または２に記載の吊り金具。
【発明の詳細な説明】
【技術分野】
【０００１】
この発明は、デッキプレートの上フランジの両側で向かい合うウェブの間に係止され、吊りボルトが取り付けられる吊り金具に関する。
【背景技術】
【０００２】
従来、建築物の床の下面に設けられたデッキプレートに天井材を吊り下げるために吊りボルトが用いられ、この吊りボルトをデッキプレートに取り付ける吊り金具が知られている。
【０００３】
このような吊り金具５０は、図９に示すように、中央板部５１と、その両側端から下向きに傾斜するアーム板部５２とを有する帯状の係止板５３と、その中央板部５１に形成される雌ねじ孔５４とを備え、両アーム板部５２、５２の先端部がデッキプレート７０の上フランジ７１の両側で向かい合うウェブ７２、７２に係止可能となっている（例えば、特許文献１参照）。
【０００４】
特許文献１に記載された吊り金具５０としては、まず、デッキプレート７０の上フランジ７１の両側で向かい合うウェブ７２、７２の間に、長手方向に沿って係止板５３を挿入する。そして、係止板５３を水平回転させて、アーム板部５２の先端部をウェブ７２、７２に設けた係合凹溝７３、７３の溝壁にそれぞれ係止し、係止板５３をデッキプレート７０に取り付ける。
【０００５】
その後、雌ねじ孔５４に吊りボルト６０の上端部をねじ込んで、吊りボルト６０の上端部を上フランジ７１に突き当てる。この突き当てにより係止板５３の両アーム部板５１が押し広げられ、その両端部が係合凹溝７３、７３の溝壁に押し付けられ、吊り金具５０がデッキプレート７０に固定される。
【先行技術文献】
【特許文献】
【０００６】
【特許文献１】特開平０９−１６５８６７号公報
【発明の概要】
【発明が解決しようとする課題】
【０００７】
しかしながら、特許文献１に記載された吊り金具５０は、デッキプレート７０に対する固定数が多くなるに従って、係止板５３の雌ねじ孔５４への吊りボルト６０のねじ込み作業に時間がかかるという問題があった。
【０００８】
また、デッキプレート７０に吊り下げる天井材は、吊りボルト６０の端部を切断することにより、デッキプレート７０に対する距離を調整している。吊りボルト６０を切断すると、その先端部に形成された雄ねじのねじ山が変形することがある。ねじ山が変形した雄ねじでは、係止板５３の雌ねじ孔５４にねじ込むことが難しく、この場合も雌ねじ孔５４への吊りボルト６０のねじ込み作業に時間がかかるという問題があった。
【０００９】
そこで、この発明の課題は、吊りボルトを容易に固定し得る吊り金具を提供することにある。
【課題を解決するための手段】
【００１０】
前記の課題を解決するために、この発明に係る吊り金具は、
デッキプレートの上フランジの両側で向かい合うウェブの間で係止される係止板と、その係止板に設けられ、吊りボルトがねじ結合する雌ねじ孔とを備えた吊り金具において、
前記係止板は、前記吊りボルトが挿通する貫通孔を有する中央板部と、その中央板部の両側から外向きに下方へ傾斜するアーム板部とから形成され、前記中央板部に対してその貫通孔と同心状に固定されるガイド筒と、そのガイド筒内に前記貫通孔と同心状に上下動可能に収納される分割ナットと、前記ガイド筒に固定され、前記分割ナットを前記ガイド筒内で上下動可能に保持するリングキャップとを備え、前記ガイド筒がその内周部に下方に向かって径方向内向きのテーパ部を備え、前記分割ナットにより、前記ガイド筒内に前記雌ねじ孔が形成され、前記リングキャップは前記吊りボルトが挿通可能であり、前記分割ナットは、前記ガイド筒内をそのテーパ部に沿って、前記吊りボルトから離れる上方位置と前記吊りボルトに係合する下方位置との間で上下動可能とされた構成を採用することができる。
【００１１】
この構成によると、デッキプレートの上フランジの両側で向かい合うウェブの間で係止片を係止した状態で、貫通孔へ下方から吊りボルトを上方へ差し込むと、分割ナットは、吊りボルトとともにガイド筒のテーパ部に沿って上方へ移動し、吊りボルトから離れる状態となる。このため、吊りボルトはねじ込む必要がなく、スムーズに貫通孔に差し込むことができる。
【００１２】
一方、ガイド筒に吊りボルトが差し込まれた状態で、吊りボルトに下向きの荷重が掛かると、分割ナットは、吊りボルトによりガイド筒のテーパ部に沿って下方へ移動し、吊りボルトに係合する。このため、吊りボルトが確実に固定される。
【００１３】
また、前記リングキャップが弾性変形可能な押圧片を有し、その押圧片が前記分割ナットを下方へ付勢するようにした構成を採用することができる。
【００１４】
さらに、前記分割ナットが外周部の下部に下方に向かって径方向内向きにテーパ部を有し、分割ナットがガイド筒内に収納される状態で、その分割ナットのテーパ部とガイド筒のテーパ部とが面接触するようにした構成を採用することができる。
【発明の効果】
【００１５】
以上のように、この発明は、吊りボルトの雄ねじのねじ山の状態に関係なく、吊りボルトをねじ込まずに、円滑に係止板の貫通孔に差し込むことができるので、吊りボルトの取り付け作業性が良い。
【図面の簡単な説明】
【００１６】
【図１】この発明の実施形態に係る吊り金具の斜視図
【図２】同上の一部分解斜視図
【図３】（ａ）同上のガイド筒の平面図、（ｂ）図３（ａ）のａ−ａ線における断面図、（ｃ）同上のガイド筒の斜視図
【図４】（ａ）同上のキャップの平面図、（ｂ）図４（ａ）のｂ−ｂ線における断面図、（ｃ）図４（ａ）のｃ−ｃ線における断面図
【図５】同上の一部切り欠き要部平面図
【図６】（ａ）同上の吊りボルトの取り付け中の状態を示す断面図、（ｂ）同上の吊りボルトの取り付け後の状態を示す断面図
【図７】同上の使用状態を示す正面図
【図８】（ａ）他の実施形態に係る吊り金具を示す斜視図、（ｂ）同上の吊り金具を示す正面図、（ｃ）図８（ｂ）のｄ−ｄ線における断面図、（ｄ）同上の吊り金具の係止板の展開図
【図９】従来の吊り金具の使用状態を示す正面図
【発明を実施するための形態】
【００１７】
以下、この発明の実施形態を添付図面に基づいて説明する。
この実施形態の吊り金具１０は、図１、２に示すように、中央板部１２と、中央板部１２の両側端から外向きに形成されたアーム板部１３とを有する帯状の係止板１１と、中央板部１２に固定されるガイド筒２０と、ガイド筒２０の内部に収納される分割ナット２１と、ガイド筒２０に固定され、分割ナット２１をガイド筒２０内で保持するリングキャップ３０とを備える。
【００１８】
係止板１１は、矩形の中央板部１２と、中央板部１２の両側端から外向きにかつ下方に向かって傾斜して形成されるアーム板部１３、１３とを備える。中央板部１２とアーム板部１３とは一体に形成されている。
【００１９】
中央板部１２は、図２に示すように、中央に形成される吊りボルト６０が挿通可能な貫通孔１４と、貫通孔１４に対して係止板１１の長手方向（以下、単に長手方向という）両側に形成される固定爪１５と、係止板１１の短手方向（以下、単に短手方向）の両側に形成される位置決め突起１６とを有する。
【００２０】
固定爪１５は、中央板部１２を切り起こして形成され、その先端部が貫通孔１４に向かって折り曲げ可能となっている（図２中の一点鎖線参照）。位置決め突起１６は、貫通孔１４に対して短手方向の片側に二箇所、両側で計四箇所形成される。
【００２１】
ガイド筒２０は、図３に示すように、円筒状に形成され、下端部に外向きのフランジ２２が全周に形成される。ガイド筒２０の内周部の下部に下方に向かって径方向内向きに傾斜するテーパ部２３が形成され、ガイド筒２０の下端側の開口部２４は、吊りボルト６０が挿通可能な口径を有する。
【００２２】
テーパ部２３の内面部に分割ナット２１の回り止めとなる上下方向の突条２５が二箇所形成される。両突条２５は、開口部２４の径方向に対向して配置され、突条２５を境に分割ナット２１がガイド筒２０内に配置される。
（図３（ｃ）参照）。
【００２３】
ガイド筒２０の外周部は、その下部に形成される係合凹部２６と、上下方向全長に形成されるスリット２７とを有する。係合凹部２６は、開口部２４の径方向に対向して配置され、後述するリングキャップ３０のスリーブ３３内周部に形成される係止突条３５が係合し、型抜きの関係上、フランジ２２を貫通している。
【００２４】
スリット２７は、突条２５の径方向外側の二箇所に形成され、後述するリングキャップ３０のスリーブ３３内周部に形成されるリブ３６が嵌り合い、リングキャップ３０の回転を規制する。
【００２５】
分割ナット２１は、図２に示すように、ナットを周方向に二分割した二個のナット片２１ａを組み合わせて構成され、内周部に吊りボルト６０の雄ねじにねじ結合する雌ねじ孔が形成される。ナット片２１ａは、外周部の下部に下方に向かって径方向内向きに傾斜するテーパ部２１ｂを有する。
【００２６】
ナット片２１ａは、テーパ部２１ｂが下方に向く状態で、テーパ部２３に沿ってガイド筒２０内に上下動可能に収納される。ガイド筒２０内のナット片２１ａは、図６に示すように、テーパ部２１ｂがガイド筒２０のテーパ部２３と面接触し、突条２５によって、周方向の移動が規制される（図５参照）。
【００２７】
なお、分割ナット２１のナット片２１ａは、必ずしもテーパ部２１ｂを有するものである必要はない。この実施形態のようにナット片２１ａがテーパ部２１ｂを有することで、分割ナット２１の雌ねじ孔がガイド筒２０の開口部２４と同心状となり、吊りボルト６０を差し込み易くなり好ましい。
【００２８】
また、分割ナット２１を構成するナット片２１ａの個数は、二個に限られず、三個、四個、・・・と複数であればよい。吊り金具１０の組み立て作業性、製造コスト等を考慮すると二個が好ましい。
【００２９】
ナット片２１ａがガイド筒２０内をテーパ部２３に沿って上下動することにより、分割ナット２１は、吊りボルト６０から離れる上方位置（図６（ａ）参照）と、吊りボルト６０に係合する下方位置と（図６（ｂ）参照）の間で上下動可能となる。
【００３０】
リングキャップ３０は、弾性を有する合成樹脂製であり、図４に示すように、円板状に形成される蓋部３１と、蓋部３１の中央部を貫通する挿通孔３２と、蓋部３１の外周縁部から全周にわたって下方に形成される円筒状のスリーブ３３とを備えている。挿通孔３２は、吊りボルト６０が挿通可能な口径を有している。
【００３１】
蓋部３１は、挿通孔３２の周縁部の四箇所に形成された押圧片３４を有する。押圧片３４は、蓋部３１を下方に切り起こして形成されており、挿通孔３２に対して径方向に対向する位置に二箇所づつ、計四箇所配置されている。
【００３２】
スリーブ３３は、内周部において、周方向に形成される係止突条３５と、上下方向に形成されるリブ３６とを備える。また、スリーブ３３の内径は、ガイド筒２０の外径よりも大きく、スリーブ３３の外径は、ガイド筒２０のフランジ２２の外径よりも小さいため、スリーブ３３をガイド筒２０の外側に嵌め合わせることができる。
【００３３】
係止突条３５は、図４（ｂ）に示すように、二箇所のリブ３６の間に配置され、ガイド筒２０の係合凹部２６内に嵌合する周方向長さを有する。リブ３６は、図５に示すように、ガイド筒２０のスリット２７に嵌合され、ガイド筒２０に対してリングキャップ３０が嵌め合わされたとき、リングキャップ３０の回転を防止する。
【００３４】
押圧片３４は、図４に示すように、蓋部３１との連結部分が挿通孔３２の径方向に対向して二箇所づつ形成されており（図４（ａ）参照）、挿通孔３２に沿って周方向にかつ下方に伸びる状態で切り起こされている。
【００３５】
また、押圧片３４は、弾性を有し、図６（ａ）、（ｂ）に示すように、ガイド筒２０内に収納されるナット片２１ａを下方に押し付け、ナット片２１ａを下方へ付勢する。
【００３６】
なお、蓋部３１は、必ずしも押圧片３４を形成する必要はなく、分割ナット２１を構成するナット片２１ａをガイド筒２０内に上下動可能に保持できればよい。押圧片３４を形成することにより、分割ナット２１をガイド筒２０のテーパ部２３に押し付けることができ、吊りボルト６０に対して分割ナット２１を確実に係止させることができる。
【００３７】
分割ナット２１が内部に収納されたガイド筒２０に対して、そのスリット２７にリングキャップ３０のリブ３６が嵌合する状態で、上方からリングキャップ３０が嵌め合わされる。そして、ガイド筒２０の係合凹部２６にリングキャップ３０の係合突起３５が嵌り、ガイド筒２０にリングキャップ３０が固定される。
【００３８】
リングキャップ３０が固定されたガイド筒２０は、図５に示すように、四箇所の位置決め突起１６により、係止板１１の中央板部１２上に貫通孔１４と同心状に位置決めされる。この状態で、固定爪１５が折り曲げられ、フランジ２２に係止され、ガイド筒２０は開口部２４と貫通孔１４とが同心状となる状態で固定される。
【００３９】
次に、この実施形態に係る吊り金具の使用方法について図７に基づいて説明する。
まず、デッキプレート７０の上フランジ７１の両側で向かい合うウェブ７２、７２の間に、長手方向に沿って吊り金具１０の係止板１１を挿入する。このとき、ガイド筒２０が係止板１１に対して上方に配置された状態となっている。
【００４０】
続いて、係止板１１を水平回転させて、アーム板部１３の先端部をウェブ７２、７２に設けた係合凹溝７３、７３の溝内壁にそれぞれ係止し、係止板１１をデッキプレート７０に取り付ける。
【００４１】
その後、吊りボルト６０の上端部を、中央板部１２の貫通孔１４に下方から差し込む。差し込まれた吊りボルト６０のねじ山が、分割ナット２１のねじ山に係止し、吊りボルト６０とともに、分割ナット２１が上方に移動する。
【００４２】
分割ナット２１が上方に移動すると、吊りボルト６０と分割ナット２１とが径方向に離れるため、吊りボルト６０は容易にガイド筒２０内を挿通させることができる。さらに、吊りボルト６０を差し込み、リングキャップ３０の挿通孔３２に挿通した後、吊りボルト６０の上端部を上フランジ７１に突き当てる。
【００４３】
吊りボルト６０が突き当てられた後、分割ナット２１を構成するナット片２１ａは、リングキャップ３０の押圧片３４により下方に移動し、吊りボルト６０の雄ねじに係止する。ナット片２１ａが係止することにより、吊りボルト６０は確実に固定される。
【００４４】
この様に、吊りボルト６０は、容易に吊り金具１０に固定することができるので、デッキプレート７０に対する固定数が多い場合でも、吊りボルト６０の固定作業の作業性が良い。
【００４５】
また、吊りボルト６０のねじ山が変形している場合でも、吊りボルト６０は、係止板１１の貫通孔１４に差し込むことで、容易に吊り金具１０に固定することができる。
【００４６】
さらに、吊りボルト６０に下向きの荷重が負荷された場合、吊りボルト６０に係止するナット片２１ａに下向きに荷重が負荷される。このとき、ナット片２１ａにより構成される分割ナット２１は、ガイド筒２０のテーパ部２３のくさび効果により、吊りボルト６０に対する径方向内向きの押し付け力が増大する。
【００４７】
次に、この発明の他の実施形態を図面に基づいて説明する。
この実施形態では、図８に示すように、係止板１１のアーム板部１３が、中央板部１２の両側端から立ち上がる側板部１３ａを経て外向きに形成される点、中央板部１２が、アーム板部１３の幅方向の両側縁から立ち上がる受け板部１２ａを有する点で、上述した実施形態と相違する。その他の構成において上述する実施形態と同じ構成を考えられるものは、同じ符号を付して、その説明を省略する。
【００４８】
この実施形態の係止板１１は、中央板部１２上にガイド筒２０が載せられた状態で、受け板部１２ａがガイド筒２０のフランジ２２の両側に位置し、側板部１３ａの上縁がガイド筒２０のフランジ２２の上方に被る形状とされる。（図８（ｂ）、（ｃ）参照）。
【００４９】
中央板部１２上のガイド筒２０は、受け板部１２ａによりアーム板部１３の幅方向へ移動が規制され、側板部１３ａの上縁がフランジ２２に係止することにより上方への移動が規制される。
【００５０】
アーム板部１３は、その長さ方向に二列のリブ１３が形成されており、リブ１３により、アーム板部１３の剛性を高めている。
【００５１】
なお、係止板１１は、アーム板部１３の側板部１３ａの上縁において、リブ１３がガイド筒２０のフランジ２２の上方に被る形状とすることも可能である。
【００５２】
係止板１１は、図８（ｄ）に示すように、中央板部１２と、その両側端から外向きに形成されたアーム板部１３と、中央板部１２のアーム板部１３の幅方向両側端から外向きに形成される受け板部１２ａとを有する金属板を折り曲げて形成される。
【符号の説明】
【００５３】
１０  吊り金具
１１  係止板
１２  中央板部
１２ａ  受け板部
１３  アーム板部
１３ａ  側板部
１３ｂ  リブ
１４  貫通孔
１５  固定爪
１６  位置決め突起
２０  ガイド筒
２１  分割ナット
２１ａ  ナット片
２１ｂ  テーパ部
２２  フランジ
２３  テーパ部
２４  開口部
２５  突条
２６  係合凹部
２７  スリット
３０  リングキャップ
３１  蓋部
３２  挿通孔
３３  スリーブ
３４  押圧片
３５  係止突条
３６  リブ
５０  吊り金具
５１  中央板部
５２  アーム板部
５３  係止板
５４  雌ねじ孔
６０  吊りボルト
７０  デッキプレート
７１  上フランジ
７２  ウェブ
７３  係合凹溝
【図１】
2016109147.tif 000003
【図２】
2016109147.tif 000004
【図３】
2016109147.tif 000005
【図４】
2016109147.tif 000006
【図５】
2016109147.tif 000007
【図６】
2016109147.tif 000008
【図７】
2016109147.tif 000009
【図８】
2016109147.tif 000010
【図９】
2016109147.tif 000011